(57)【要約】【課題】グロスから得られる情報と、グロスから採取された複数の標本から得られる情報との対応を視覚的かつ直観的に把握できるようにするための技術を提供する。【解決手段】コンピュータが、病変を含むグロスの異なる位置から採取された複数の標本を撮像して得た複数の標本画像のデータを取得し、前記複数の標本画像のそれぞれから、病変に関する情報を抽出し、前記グロスを表す画像上に前記複数の標本画像のそれぞれから抽出された病変に関する情報を合成した、病理情報画像のデータを生成し、前記病理情報画像を表示装置に表示する。【選択図】図１７
2015087167.tif 000002
【特許請求の範囲】
【請求項１】
コンピュータが、病変を含むグロスの異なる位置から採取された複数の標本を撮像して得た複数の標本画像のデータを取得するステップと、
前記複数の標本画像のそれぞれから、病変に関する情報を抽出するステップと、
コンピュータが、前記グロスを表す画像上に前記複数の標本画像のそれぞれから抽出された病変に関する情報を合成した、病理情報画像のデータを生成するステップと、を含むことを特徴とする画像処理方法。
【請求項２】
前記病理情報画像は、前記グロスと各標本が採取された位置との対応関係がわかるように、前記グロスを表す画像上の対応する位置に前記複数の標本画像のそれぞれから抽出された前記病変に関する情報を合成した画像である
ことを特徴とする請求項１に記載の画像処理方法。
【請求項３】
前記病変に関する情報は、病変の深さ方向の情報である深達度を含む
ことを特徴とする請求項１または２に記載の画像処理方法。
【請求項４】
前記病理情報画像では、各標本画像の深達度が、疑似色、グラデーション、または、等高線により表現されている
ことを特徴とする請求項３に記載の画像処理方法。
【請求項５】
前記病理情報画像内で深達度が連続的に変化するように、各標本画像のあいだの深達度が補間される
ことを特徴とする請求項４に記載の画像処理方法。
【請求項６】
前記病変に関する情報を抽出するステップでは、基準組織に基づいて、前記深達度を抽出する
ことを特徴とする請求項３に記載の画像処理方法。
【請求項７】
前記病変に関する情報は、病変の広がりの情報である病変領域を含む
ことを特徴とする請求項１〜６のうちいずれか１項に記載の画像処理方法。
【請求項８】
前記グロスを撮像して得たグロス画像から、病変に関する情報を抽出するステップをさらに含み、
前記病理情報画像に、前記グロス画像から抽出された病変に関する情報も合成される
ことを特徴とする請求項１〜７のうちいずれか１項に記載の画像処理方法。
【請求項９】
前記グロスを表す画像は、前記グロスを撮像して得たグロス画像、または、前記グロスのコンピュータ・グラフィックスである
ことを特徴とする請求項１〜８のうちいずれか１項に記載の画像処理方法。
【請求項１０】
前記グロスを表す画像は、２次元の画像、または、３次元の画像である
ことを特徴とする請求項１〜９のうちいずれか１項に記載の画像処理方法。
【請求項１１】
コンピュータが、前記病理情報画像を表示装置に表示するステップをさらに含む
ことを特徴とする請求項１〜１０のうちいずれか１項に記載の画像処理方法。
【請求項１２】
前記病変に関する情報を抽出するステップでは、前記複数の標本画像の位置合わせを前記複数の標本の標本基準点に基づいて行い、位置合わせした前記複数の標本画像から前記病変に関する情報を抽出する
ことを特徴とする請求項１〜１１のうちいずれか１項に記載の画像処理方法。
【請求項１３】
病変を含むグロスの異なる位置から採取された複数の標本を撮像して得た複数の標本画像のデータを取得する取得部と、
前記複数の標本画像のそれぞれから、病変に関する情報を抽出する情報抽出部と、
前記グロスを表す画像上に前記複数の標本画像のそれぞれから抽出された病変に関する情報を合成した、病理情報画像のデータを生成するデータ生成部と、を有する
ことを特徴とする画像処理システム。
【請求項１４】
請求項１〜１２のうちいずれか１項に記載の画像処理方法の各ステップをコンピュータに実行させるためのプログラム。
【発明の詳細な説明】
【技術分野】
【０００１】
本発明は、画像処理方法、画像処理システムに関する。
【背景技術】
【０００２】
スライド（プレパラートとも呼ぶ）上の標本をデジタル顕微鏡で撮像してバーチャル・スライド画像（以降、スライド画像と称す）を取得し、これをモニターに表示して観察することが可能なバーチャル・スライドシステムが注目されている（特許文献１）。
また、グロス画像（病変のデジタル画像）とスライド画像（顕微鏡デジタル画像）を区別して管理・表示し、両者を関連付ける病理画像システム技術が知られている（特許文献２）。
【先行技術文献】
【特許文献】
【０００３】
【特許文献１】特開２０１１−１１８１０７号公報
【特許文献２】特開２０００−２７６５４５号公報
【発明の概要】
【発明が解決しようとする課題】
【０００４】
特許文献２で示された病理画像システム技術は、グロス画像とスライド画像を関連付けて管理・表示できるが、グロス画像におけるスライド画像の対応領域や、グロス画像とスライド画像の病変の対応関係までは把握できない。
【０００５】
そこで、本発明は、グロスから得られる情報と、グロスから採取された複数の標本から得られる情報との対応を視覚的かつ直観的に把握できるようにするための技術を提供することを目的とする。
【課題を解決するための手段】
【０００６】
本発明の第一態様は、コンピュータが、病変を含むグロスの異なる位置から採取された複数の標本を撮像して得た複数の標本画像のデータを取得するステップと、前記複数の標本画像のそれぞれから、病変に関する情報を抽出するステップと、コンピュータが、前記グロスを表す画像上に前記複数の標本画像のそれぞれから抽出された病変に関する情報を合成した、病理情報画像のデータを生成するステップと、を含むことを特徴とする画像処理方法である。
【０００７】
本発明の第二態様は、病変を含むグロスの異なる位置から採取された複数の標本を撮像して得た複数の標本画像のデータを取得する取得部と、前記複数の標本画像のそれぞれから、病変に関する情報を抽出する情報抽出部と、前記グロスを表す画像上に前記複数の標本画像のそれぞれから抽出された病変に関する情報を合成した、病理情報画像のデータを生成するデータ生成部と、を有することを特徴とする画像処理システムである。
【０００８】
本発明の第三態様は、上述した本発明に係る画像処理方法の各ステップをコンピュータに実行させるためのプログラムである。
【発明の効果】
【０００９】
本発明によれば、グロスから得られる情報と、グロスから採取された複数の標本から得られる情報との対応が視覚的かつ直観的に把握可能な画像（病理情報画像）を生成することができる。
【図面の簡単な説明】
【００１０】
【図１】病理診断の処理工程を説明する模式図。
【図２】病理診断の処理工程を説明するフローチャート。
【図３】胃摘出パターンを説明する模式図。
【図４】グロスを説明する模式図。
【図５】グロス切り出しを説明する模式図。
【図６】スライドを説明する模式図。
【図７】グロスとスライドの位置関係を説明する模式図。
【図８】病理情報画像データ生成を説明するフローチャート。
【図９】グロス画像からの病理情報抽出を説明する模式図。
【図１０】グロス画像からの病理情報抽出を説明するフローチャート。
【図１１】スライド画像からの病理情報抽出を説明する模式図。
【図１２】複数のスライド画像の位置合わせを説明する模式図。
【図１３】スライド画像からの病理情報抽出を説明するフローチャート。
【図１４】マクロ病変領域とミクロ病変領域について説明する模式図。
【図１５】グロス画像とスライド画像の位置合わせを説明する模式図。
【図１６】グロス画像とスライド画像の位置合わせを説明するフローチャート。
【図１７】病理情報画像データの生成・表示を説明する模式図。
【図１８】病理情報画像データの生成・表示を説明するフローチャート。
【図１９】画像処理システムの装置構成の全体図。
【図２０】画像処理装置の機能ブロック図。
【発明を実施するための形態】
【００１１】
本発明は、デジタル顕微鏡などで撮像された複数の標本画像から病理診断に有用な画像を生成するための技術に関する。具体的には、病変を含むグロス（臓器の全部または一部）の異なる位置から採取された複数の標本の画像から病変に関する情報を抽出し、グロスを表す画像上に当該情報を合成した病理情報画像のデータを生成する。このような病理情報画像を表示することで、グロスから得られる情報と、グロスから採取された複数の標本から得られる情報との対応が視覚的かつ直観的に把握可能となる。この場合に、グロスと各標本が採取された位置との対応関係がわかるように、グロスを表す画像上の対応する位置に各標本画像から抽出された病変に関する情報を合成すれば、グロスにおける病変の位置、広がり、進行度合いなどを正確かつ直観的に把握できる。
以下、図面を参照しながら本発明の好ましい実施の形態を説明する。
【００１２】
＜実施例１＞
本発明の画像処理方法は、病理診断処理工程において用いることができる。この病理診断処理工程について、図１から図７を用いて説明する。
【００１３】
（病理診断の処理工程）
図１（ａ）〜図１（ｅ）は、病理診断の処理工程を説明する模式図である。全胃切除（胃全摘）から病理診断スライド作成までの工程を代表的な図で示している。図１（ａ）は、胃の全体像を示す図である。本実施例では、全胃切除（胃全摘）を例として説明を行う。胃の代表的な切除範囲は図３で説明する。図１（ｂ）は、切開した全摘胃を示す図である。本実施例では、切開後に検体処理・固定を行った臓器全体を「グロス」と称する。詳細は図４（ａ）及び図４（ｂ）で説明する。図１（ｃ）は、グロスの切り出し領域を示す図である。図１（ｄ）は、グロス切り出し後の標本ブロックを示す図である。本実施例では、切り出し後の臓器片を「標本ブロック」と称する。グロス切り出し、標本ブロックの詳細は図５（ａ）及び図５（ｂ）で説明する。図１（ｅ）は、個々の標本ブロックから作成したスライドを示す図である。スライドの詳細は図６（ａ）及び図６（ｂ）で説明する
。
【００１４】
ここで、図１（ａ）〜図１（ｅ）で説明した病理診断の処理工程が、検査から治療選択までのフローにおいてどこに位置付けられているかについて簡単に説明する。健康診断などの胃Ｘ線検査、内視鏡検査で胃癌が疑われる場合には、内視鏡生検（病変部採取）を行って病理検査を実施する。病理検査で悪性腫瘍が疑われる場合には、更に超音波検査、ＣＴ検査、注腸検査などで病期診断（胃癌の進行具合の判定）を実施する。そして、内視鏡治療が必要か、胃切除手術が必要か、が判断される。図１（ａ）〜図１（ｅ）に示した病理診断の処理工程は、胃切除手術が選択された場合の、全胃切除（胃全摘）から病理診断までの工程を示している。病理診断の結果、経過観察、化学療法などのその後の治療方針が決められる。
【００１５】
図２は、病理診断の処理工程を説明するフローチャートである。
ステップＳ２０１では、胃（臓器）の切除・摘出を行う。病変の位置や病期、患者の年齢・病歴など総合的に判断して切除範囲が決定される。胃の代表的な切除範囲は図３で説明する。本ステップＳ２０１は、図１（ａ）に対応する。
【００１６】
ステップＳ２０２では、検体処理・固定を行う。ステップＳ２０１で切除・摘出した胃を希釈ホルマリン液中に保存し、臓器の固定を行う。固定は、組織の変性防止、形状・構造の安定化、染色性の強化、抗原性保持を目的とする。本ステップＳ２０２は、図１（ｂ）に対応する。
【００１７】
ステップＳ２０３では、切り出しを行う。病理医の判断により、病変領域の切り出しを行う。視認できる病変領域だけでなく、病変が発生しやすい領域の切り出しも行われる。後に「マクロ情報であるグロス」と「ミクロ情報であるスライド」の位置の対応を確認するために、切り出し前後にグロス撮像、標本ブロック撮像が行われる。切り出し前のグロス撮像画像は図１（ｃ）の撮像画像に、切り出し後の標本ブロック撮像画像は図１（ｄ）の撮像画像に対応する。本ステップＳ２０３は、図１（ｃ）、図１（ｄ）に対応する。
【００１８】
ステップＳ２０４では、スライド作成を行う。脱水・パラフィン包埋・薄切・染色・封入・ラベル貼り・部位確認などの工程を経て、標本ブロックからスライドを作成する。組織診では、ＨＥ（ヘマトキシリン・エオシン）染色のスライドを作成する。
【００１９】
図３は、胃摘出パターンを説明する模式図である。病変の位置や病期、患者の年齢・病歴など総合的に判断して切除範囲が決定される。胃底部・胃体部を中心とした進行癌、胃全体に広がる未分化癌などでは全胃切除（胃全摘）３０１が行われる。早期癌では、幽門部切除３０２、亜全胃切除３０３、病変の広がりが局所的で転移のリスクが無い場合には、噴門部切除３０４、幽門輪状切除３０５、胃体部切除３０６が行われる。
【００２０】
図４（ａ）及び図４（ｂ）は、グロスを説明する模式図である。図４（ａ）は胃の全体像であり、胃の各部名称を記している。図４（ｂ）はグロスの全体像であり、胃の全体像との対応が分かりやすいように、図４（ａ）と同様に、胃の各部名称を記している。図４（ａ）及び図４（ｂ）は、図２のステップＳ２０１、Ｓ２０２の処理に対応する。
【００２１】
図４（ａ）には、食道に繋がる噴門４０１、十二指腸に繋がる幽門４０２、胃の上部である胃底部４０３、胃の中部である胃体部４０４、胃の下部である幽門前庭部４０５、胃の外側湾曲の大弯４０６、胃の内側湾曲の小弯４０７を記してある。
【００２２】
図４（ｂ）に示すグロスとは、全胃切除、全摘胃の切開、検体処理・固定の処理を経た臓器である。胃の病変が小弯４０７に発生することが多いため、大弯切開が原則であり、
本実施例もそれを踏襲する。胃底部４０３の小弯４０７付近に視認できる病変４０８を網掛け楕円で示した。マクロ情報であるグロスとミクロ情報であるスライドの位置関係を明確にするために、ＸＹＺ位置座標を記した。図４（ｂ）はグロスのＸＹ断面図（上面図）である。また、参考として、マクロ情報であるグロスとミクロ情報であるスライドのそれぞれ寸法をイメージしやすいようにグロス長さ（約１５０ｍｍ）を記した。
【００２３】
図５（ａ）及び図５（ｂ）は、グロス切り出しを説明する模式図であり、図２のステップＳ２０３の処理に対応する。
【００２４】
図５（ａ）は切り出し領域を記したグロス像である。視認できる病変４０８を包含する領域と、病変の頻発領域である小弯部分とを含むように、複数の切り出し領域を定めている。図５（ａ）の例では２１個の切り出し領域がある。切り出し領域５０１は複数の切り出し領域のうちの１つを示している。切り出し領域は、後に薄切標本をスライドに載置することを考慮して、その寸法が決められる。ここでは、スライドの標本載置寸法６０ｍｍ×２６ｍｍとして、スライドの標本載置寸法に標本ブロックが収まるように、グロス長さ約１５０ｍｍを３分割して標本ブロックの長軸長さを約５０ｍｍとした。図５（ａ）はグロスのＸＹ断面図（上面図）である。
【００２５】
図５（ｂ）は切り出し後の標本ブロックである。２１個の標本ブロックが作成される。図５（ｂ）は標本ブロックのＸＹ断面図（上面図）である。
【００２６】
図６（ａ）及び図６（ｂ）は、スライドを説明する模式図であり、図２のステップＳ２０４の処理に対応する。
【００２７】
図６（ａ）は切り出し後の標本ブロックである。それぞれの標本ブロックに対して脱水・パラフィン包埋を行い、薄切を行う。薄切面６０１は切り出し時に病理医が指示する。薄切面６０１はＸＺ断面となる。これは、病理診断において病変の胃壁の厚さ方向（Ｚ方向）への深達度を判断するためである。図４（ｂ）、図５（ａ）、図５（ｂ）に示した断面図はＸＹ断面であるのに対し、薄切面６０１はＸＺ断面である。
【００２８】
図６（ｂ）は薄切標本６０２を載置したスライドである。薄切した切片に対して、染色・封入・ラベル貼り・部位確認を行い、スライドを作成する。本実施例では、標本ブロック１つに対してスライド１枚を作成する。図６（ａ）と図６（ｂ）のＸＹＺ位置座標の向きが異なることに注意が必要である。
【００２９】
図７（ａ）及び図７（ｂ）は、グロスとスライドの位置関係を説明する模式図である。
図７（ａ）はＸＹＺ位置座標におけるスライド配置である。病理診断において病変の深さ方向（Ｚ方向）への深達度を判断するため、スライドに載置される薄切標本はＸＺ断面となる。本実施例では、１つのグロスに対してスライドを２１枚作成する。
【００３０】
図７（ｂ）はＸＹ断面におけるグロスとスライドの位置関係を示す。スライドは、視認できる病変４０８を包含する領域と、病変の頻発領域である小弯部分を含んでいる。また、スライドの配置に対応して、病変４０８は離散的に採取される。
【００３１】
病理診断においては、図７（ｂ）に示すような「離散的に採取されたスライドから抽出したミクロな病理情報」と、「グロスから抽出したマクロな病理情報」とを統合して、グロス全体の病変の広がり・病期などを判断する。スライドから抽出するミクロな病理情報（スライド病理情報）とグロスから得られるマクロな病理情報（グロス病理情報）とを関連付ける作業は病理医にとっては日常的な作業である。しかしながら、専門性の高い作業・情報であるために、それらの情報を臨床医や患者と正確、且つ、短時間に共有すること
は簡単なことではない。本実施例は、スライドから抽出するミクロな病理情報（スライド病理情報）とグロスから得られるマクロな病理情報（グロス病理情報）とを視覚的に関連付け、正確、且つ、より短時間にそれらの情報を共有することを目的とする。
【００３２】
（画像処理方法の説明）
本実施例の画像処理方法を図８から図１７（ｃ）を用いて説明する。以下に述べる画像処理方法は、例えば、画像処理プログラムがインストールされたコンピュータ（画像処理システム）によって実行される。すなわち、以下に述べる画像処理方法の各ステップの実行主体は、画像処理システム（コンピュータあるいはＣＰＵ）である。画像処理システムの構成例については後述する。
【００３３】
（０）全体フロー
図８は、本実施例の画像処理方法における病理情報画像データ生成を説明するフローチャートである。
ステップＳ８０１では、グロス画像からの病理情報抽出を行う。詳細は図９（ａ）から図１０（ｂ）で説明する。
ステップＳ８０２では、スライド画像からの病理情報抽出を行う。詳細は図１１（ａ）から図１３（ｂ）で説明する。
ステップＳ８０３では、グロス画像とスライド画像の位置合わせを行う。詳細は図１４（ａ）から図１６で説明する。
ステップＳ８０４では、病理情報画像データの生成・表示を行う。詳細は図１７（ａ）から図１８で説明する。
【００３４】
（１）ステップＳ８０１：グロス画像からの病理情報抽出
図９（ａ）から図９（ｃ）は、グロス画像からの病理情報抽出を説明する模式図である。  図９（ａ）はグロス画像であり、切り出し（図２のステップＳ２０３）を行う前のグロスを撮像して得られた画像である。グロス画像は２Ｄ（２次元）デジタルデータ、または、３Ｄ（３次元）デジタルデータとして保存される。
【００３５】
図９（ｂ）はグロス切り出し画像である。図９（ａ）のグロス画像に対して、切り出し位置を示す切り出し線を付した画像である。図２のステップＳ２０３では、このグロス切り出し画像に示す切り出し線に沿ってグロスの切り出し作業が行われる。切り出し領域を指定する方法には、ユーザが指定する方法（手動指定）とコンピュータが指定する方法（自動指定）がある。手動指定では、ユーザがグロス（実物）もしくはグロス画像から病変４０８の領域を把握し、コンピュータのモニター画面に表示されたグロス画像上にマウスなどの操作デバイスを用いて切り出し領域を設定する。自動指定では、コンピュータがグロス画像を解析して病変４０８の領域を抽出（検出）し、その抽出（検出）した領域を包含するように切り出し領域を設定する。病変の自動抽出が難しい場合には、ユーザが病変４０８の領域を教示してもよい（半自動指定）。
【００３６】
図９（ｃ）はグロス病理情報を示す図である。本実施例では、各々の切り出し領域のＸ方向の範囲（以下、メッシュ分割範囲９０２とよぶ）を５つのセルにメッシュ分割し、病変４０８を包含しているセルの集合（黒塗潰しで示す領域）をマクロ病変領域９０１とする。グロス病理情報とは、グロス画像から抽出した病変４０８の領域、メッシュ分割した切り出し領域、マクロ病変領域９０１と、それらの位置関係を含む情報である。これらの情報は、互いの領域の位置関係が定義できれば、どのようなデータ形式で保持してもよい。例えば、病変４０８の領域やマクロ病変領域９０１の情報をマスク画像データで保持し、切り出し領域の情報を画像座標（ＸＹ座標）で保持することができる。あるいは、切り出し領域の番号と分割セルの番号などでマクロ病変領域９０１を表してもよい。
【００３７】
図３に示す通り、胃摘出パターンには汎用性があるため、それぞれの胃摘出パターンをＣＧ（コンピュータ・グラフィックス）データとして保持しておけば、グロス病理情報データをＣＧデータとして保持することもできる。この場合、グロス画像から抽出した病変４０８の領域、メッシュ分割した切り出し領域、マクロ病変領域９０１をＣＧデータ上にマッピングしたデータをグロス病理情報として保持することになる。
【００３８】
図１０（ａ）は、グロス画像からの病理情報抽出を説明する全体フローチャートである。図１０（ｂ）は、切り出し領域指定を説明するフローチャートである。
まずは、図１０（ａ）に従って、グロス画像からの病理情報抽出のフローについて説明する。
【００３９】
ステップＳ１００１では、グロス画像を取得する。本ステップは、例えば、図９（ａ）に示すグロス画像のデータをコンピュータが記憶装置等から読み込む処理である。
【００４０】
ステップＳ１００２では、病変領域の抽出を行う。例えば、ユーザがグロス（実物）もしくはグロス画像を観察し、病変４０８の領域を特定する。そして、マウスなどの操作デバイスを用いて、コンピュータのモニター画面に表示されたグロス画像またはグロスのＣＧに対して病変領域を指定する。前述のように、画像解析によりコンピュータが自動で病変領域を抽出・設定することもできる。本ステップで抽出された病変領域を抽出病変領域とよぶ。
【００４１】
ステップＳ１００３では、切り出し領域の指定を行う。切り出し領域の指定の手段としては、ユーザが指定する方法（手動指定）とコンピュータが指定する方法（自動指定）がある。ユーザが切り出し領域の指定を行う場合には、マウスなどの操作デバイスを用いて、コンピュータのモニター画面に表示されたグロス画像またはグロスのＣＧに対して、切り出し領域を指定する。コンピュータが指定する方法（自動指定）については図１０（ｂ）を用いて説明する。本ステップは、図９（ｂ）に対応する。
【００４２】
ステップＳ１００４では、病変領域と分割セルの対応付けを行う。まず、各々の切り出し領域のメッシュ分割範囲９０２を５つのセルに分割する。そして、各々の分割セルについて病変４０８の領域と重なりを有するかを判断し、病変４０８を包含する分割セルを病変領域とする。例えば、病変領域である分割セルに「１」、非病変領域である分割セルに「０」というフラグを付けることで、病変領域と分割セルの対応付けを行うことができる。フラグ「１」が付された分割セルの集合からなる領域が、前述のマクロ病変領域９０１である。本ステップにより、グロス画像から抽出した病変４０８の領域、メッシュ分割した切り出し領域、マクロ病変領域９０１、及びそれらの位置関係が、グロス病理情報として記憶される。
【００４３】
図１０（ｂ）は、図１０（ａ）のステップＳ１００３の詳細なフローの一例を示すフローチャートである。図１０（ｂ）に従って、コンピュータが切り出し領域を指定する方法（自動指定）について説明する。
【００４４】
ステップＳ１００５では、切り出し寸法を取得する。切り出し寸法は、後に薄切標本をスライドに載置することを考慮して決められる。図５（ｂ）の例では切り出し寸法は５０ｍｍに設定されている。予め設定された切り出し寸法のデータを読みだす方法でも良いし、ユーザが操作デバイスを用いてコンピュータに入力した切り出し寸法を用いる方法でも良い。あるいは、グロス画像もしくは病変領域の寸法とスライドの寸法などからコンピュータが自動的に適切な切り出し寸法を決定しても良い。
【００４５】
ステップＳ１００６では、ステップＳ１００２で抽出された抽出病変領域以外の切り出
し領域の指定を行う。胃の病変が小弯に発生することが多いため、本実施例では、抽出病変領域以外に小弯付近を切り出し領域として指定する。本ステップの切り出し領域の指定は、ユーザによる手動指定でもよいし、コンピュータによる自動指定でもよい。手動指定の場合は、マウスなどの操作デバイスを用いてグロス画像上の所望の領域を指定するなどの方法を取ることができる。また自動指定の場合は、例えば、画像解析により病変の起きやすい部位（小弯など）を検出すればよい。
【００４６】
ステップＳ１００７では、切り出し領域のマッピングを行う。ステップＳ１００２で抽出した病変領域とＳ１００６で指定された領域からなる対象領域を包含するように、切り出し領域のマッピングを行う。マッピングは、対象領域が内接する矩形領域を求め、その矩形領域を包含するように切り出し領域を配置する、などの簡単なアルゴリズムで実現できる。コンピュータによる自動マッピング後に、ユーザによる切り出し領域の位置調整を行っても良い。
【００４７】
ステップＳ１００８では、切り出し領域の番号割り振りを行う。後段で作成するスライドとグロス画像との位置関係を把握するために、各切り出し領域に対して番号を割り振る。本実施例では、１つの切り出し領域に対して１枚のスライドを作成するため、２１の切り出し領域それぞれに連番を割り当てる（図７（ｂ）参照）。
【００４８】
（２）ステップＳ８０２：スライド画像からの病理情報抽出
図１１（ａ）及び図１１（ｂ）は、スライド画像からの病理情報抽出を説明する模式図である。
【００４９】
図１１（ａ）はスライド画像である。スライド画像とは、図２のステップＳ２０４で作成したスライド上の標本を撮像した画像であり、標本画像とも呼ぶ。スライド画像の撮像にはデジタル顕微鏡を用いてもよいし、デジタルカメラを用いてもよい。スライド１１０１の上部に胃粘膜側、下部に胃漿膜側が位置するように薄切標本１１０２が載置されている。これは、図７（ａ）のＺ軸方向と対応しており、Ｚ軸正方向が粘膜側（胃内側）、Ｚ軸負方向が漿膜側（胃外側）である。薄切標本１１０２に対して、マウスなどの操作デバイスを用いてコンピュータのモニター画面で病変１１０３の範囲指定を行う。なお、ここでは、スライド画像としてラベルを含めたスライドの画像を図示したが、ラベルを除いた領域（薄切標本１１０２が載置されている領域）のみをスライド画像としても良い。また、病変１１０３をユーザが抽出する方法（手動抽出）と、コンピュータを援用して抽出する方法（半自動抽出）がある。コンピュータを援用して抽出する方法（半自動抽出）については図１３（ｂ）を用いて説明する。
【００５０】
図１１（ｂ）は深達度判断基準を説明する表である。病理診断においては、病変１１０３のＺ軸負方向への深達度を判断する。深達度は、癌の悪性度を判断する指標の１つである。薄切標本１１０２の粘膜固定層、粘膜下層、固有筋層、漿膜下層、漿膜のどの層まで浸潤しているかで深達度（浸潤度合い）を判定する。図１１（ｂ）の表は、胃癌の深達度（浸潤度合い）として一般に広く用いられている基準を単純化した表である。
【００５１】
図１２（ａ）〜図１２（ｄ）は、複数のスライド画像の位置合わせを説明する模式図である。図２のＳ２０４で複数のスライドを作成するが、各々のスライドの薄切標本１１０２の位置は一致していない。また、スライド作成過程でのトリミングなどにより、薄切標本１１０２それぞれの長さは必ずしも一致しない。そのため、薄切標本１１０２の位置や長さの不整合の調整が必要となる。スライド病理情報とグロス病理情報とを視覚的に関連付けるためには、各々のスライドから得たスライド病理情報をグロスの３次元空間に配置するとよい。そのためには、スライド間の薄切標本１１０２の位置や長さの不整合を調整する必要がある。
【００５２】
図１２（ａ）は、複数のスライド１１０１ａ〜１１０１ｆの間で薄切標本１１０２ａ〜１１０２ｆのＸ方向の位置と長さが異なる様子を示す模式図である。薄切標本１１０２ａ〜１１０２ｆの位置と長さのずれが分かりやすいように、スライド１１０１ａ〜１１０１ｆそれぞれに、標本左端１２０１、標本左右中心１２０２、標本右端１２０３を示す３本の点線を記した。スライド１１０１ａとスライド１１０１ｂを比べると、薄切標本１１０２ａは薄切標本１１０２ｂに対してＸ方向右にずれており、標本長さはわずかに短いことが確認できる。
【００５３】
図１２（ｂ）は、標本左右中心１２０２でスライド画像のＸ方向位置合わせを実施した後の模式図である。ここで、Ｘ方向とは病変広がり方向と読み替えることができ、本図は、複数のスライドの病変広がり方向に対する位置合わせを説明する図である。
【００５４】
図１２（ｃ）は、スライド画像のメッシュ分割を示す模式図である。全ての薄切標本１１０２ａ〜１１０２ｆのＸ方向範囲を包含するように、メッシュ分割範囲の両端の位置を定める。標本左右中心１２０２でスライド画像のＸ方向位置合わせを実施する場合には、全ての薄切標本１１０２ａ〜１１０２ｆのうちＸ方向の長さが最も長い薄切標本の左右端がメッシュ分割範囲の両端となる。本実施例では、Ｘ方向に５分割するメッシュ分割（１２０４）を示したが、これは、図９（ｃ）の切り出し領域のメッシュ分割に対応する。図１２（ｃ）の網掛け楕円は病変１１０３ａ〜１１０３ｆを示す。
【００５５】
図１２（ｄ）は、スライド画像のミクロ病変領域と分割セルの対応付けを示す模式図である。本実施例では、各々のスライド画像のメッシュ分割範囲１２０４を５つのセルに分割し、病変を包含しているセルの集合（黒塗り潰しで示す領域）をミクロ病変領域とする。図１２（ｄ）では、スライド１１０１ｂ〜１１０１ｆのミクロ病変領域１２０５ｂ〜１２０５ｆが黒塗潰しで示されている。なおスライド１１０１ａにはミクロ病変領域は含まれていない。
【００５６】
なお、図１２（ａ）〜図１２（ｄ）で説明した「位置」は各スライド画像で定義したＸＺ座標に対する位置である。ここでは、薄切標本１１０２をスライドに載置する際に発生する薄切標本１１０２の回転を無視して、スライド画像のＸＺ座標のＸ方向に対する標本左右中心、標本左右端を定めるものとする。
【００５７】
本実施例におけるスライド病理情報は、病変１１０３の領域、メッシュ分割したスライド画像、ミクロ病変領域１２０５、薄切標本１１０２の深達度を含む情報である。病変１１０３の領域は、例えばマスク画像などで表すことができる。メッシュ分割したスライド画像とは、図１２（ｃ）に示すメッシュ分割範囲１２０４内の画像であり、元のスライド画像をトリミングすることで生成される。ミクロ病変領域１２０５は、マスク画像で表してもよいし、分割セルの番号で表してもよい。薄切標本１１０２の深達度は、図１１（ｂ）に示すＴ０〜Ｔ３である。複数のスライドに対して、それぞれスライド病理情報を抽出する。薄切標本１１０２がＸＺ断面であるため、簡易的に考えるのであれば、ミクロ病変領域とはスライド画像のＸ方向情報に対応し、深達度はスライド画像のＺ方向情報に対応する。（正確には、深達度は、粘膜固定層、粘膜下層、固有筋層、漿膜下層、漿膜に対して判定される。）
【００５８】
図１３（ａ）は、スライド画像からの病理情報抽出を説明する全体フローチャートである。図１３（ｂ）は、病変領域・深達度の抽出を説明するフローチャートである。
まずは、図１３（ａ）に従って、スライド画像からの病理情報抽出のフローについて説明する。
【００５９】
ステップＳ１３０１では、スライド画像を取得する。本ステップは、例えば、図１２（ａ）に示す複数のスライド画像のデータをコンピュータが記憶装置等から読み込む処理である。
【００６０】
ステップＳ１３０２では、病変領域・深達度の抽出を行う。病変領域・深達度の抽出の手段としては、ユーザが抽出する方法（手動抽出）と、コンピュータを援用して抽出する方法（半自動抽出）がある。ユーザがスライド画像から病変１１０３を抽出する場合には、マウスなどの操作デバイスを用いて、コンピュータのモニター画面に表示されたスライド画像に対して、ユーザが認識した病変１１０３の範囲を指定する。コンピュータを援用して抽出する方法（半自動抽出）については図１３（ｂ）を用いて説明する。
【００６１】
ステップＳ１３０３では、標本基準点の抽出を行う。標本基準点とは、Ｘ方向に関して薄切標本１１０２の中心、左端、右端などである。本ステップは、図１２（ａ）に対応する。
【００６２】
ステップＳ１３０４では、全てのスライド画像に対してステップＳ１３０１からＳ１３０３までの処理を実行したかどうかを判断する。全スライド画像に対する処理が終了していれば、ステップＳ１３０５に進む。
【００６３】
ステップＳ１３０５では、スライド画像の位置合わせを行う。ステップＳ１３０３で抽出した標本基準点に合わせて各スライド画像のＸ方向の位置合わせを行う。本ステップは、図１２（ｂ）に対応する。
【００６４】
ステップＳ１３０６では、病変領域と分割セルの対応付けを行う。まず、各々のスライド画像のメッシュ分割範囲１２０４を５つのセルに分割する。そして、各々の分割セルについて病変１１０３と重なりを有するかを判断し、病変１１０３を包含する分割セルをミクロ病変領域とする。例えば、ミクロ病変領域である分割セルに「１」、非ミクロ病変領域である分割セルに「０」というフラグを付けることで、病変領域と分割セルの対応付けを行うことができる。本ステップにより、スライド画像から抽出した病変の領域、メッシュ分割したスライド画像、ミクロ病変領域１２０５、薄切標本の深達度が、スライド病理情報として記憶される。
【００６５】
図１３（ｂ）は、図１３（ａ）のステップＳ１３０２の詳細なフローの一例を示すフローチャートである。図１３（ｂ）に従って、病変領域・深達度の抽出のフローについて説明する。
【００６６】
ステップＳ１３０７では、標本領域の抽出を行う。スライド画像から薄切標本１１０２の領域を抽出する。領域抽出は、ヒストグラム調整後の画像２値化、などの簡単なアルゴリズムで実現できる。
【００６７】
ステップＳ１３０８では、基準組織（粘膜固定層、粘膜下層、固有筋層、漿膜下層、漿膜）の指定を行う。図１１（ｂ）に従った深達度の判断には、薄切標本１１０２における粘膜固定層、粘膜下層、固有筋層、漿膜下層、漿膜の認識が必要である。コンピュータのモニター画面でスライド画像データに対して、マウスなどの操作デバイスを用いてユーザが基準組織を指定する。
【００６８】
ステップＳ１３０９では、ヘマトキシリン領域（核）の抽出を行う。組織診では、薄切標本１１０２はＨＥ（ヘマトキシリン・エオシン）染色が施されている。ヘマトキシリンは細胞の核などを染める青紫色の色素であり、エオシンは細胞質などを染める淡赤色（ピンク色）の色素である。本ステップでは、スライド画像データの色情報を利用して青紫色
であるヘマトキシリン領域（核）の抽出を行う。
【００６９】
ステップＳ１３１０では、構造認識による特徴量抽出を行う。構造認識では、グラフ理論を応用したアルゴリズムを利用することができる。ステップＳ１３０９で抽出した核の情報を基に、ボロノイ図、ドロネー図、最小全域木などを描画する。例えば、ボロノイ図では、ポリゴン（閉領域）面積、周辺長、一辺長さから、それぞれの平均、標準偏差、最小−最大比を求めて、それらを特徴量（９つ）とする。また、ドロネー図では、三角形（閉領域）面積、周辺長から、それぞれの平均、標準偏差、最小−最大比を求めて、それらを特徴量（６つ）とする。また、最小全域木では、辺の長さに応じた重み付けに従って最小全域木を求め、最小全域木の辺の平均、標準偏差、最小−最大比を求めて、それらを特徴量（３つ）とする。
【００７０】
ステップＳ１３１１では、病変領域の抽出を行う。ステップＳ１３１０で抽出した複数の特徴量を基に、病変領域を抽出する。良性組織の構造と悪性組織の構造には視認できる違いがあり、複数の特徴量を用いて良性・悪性の判断、悪性度合いの判断を行うことができる。すなわち、スライド画像から取得される複数の特徴量を用いて病変領域の抽出ができる。ステップＳ１３１０において、ボロノイ図だけでなく、ドロネー図、最小全域木による特徴量や、ガボールフィルタなどでフィルタ処理したスライド画像から特徴量を取得すれば、それらを組み合わせて、総合的な病変領域の判断基準を作成することもできる。基準組織（粘膜固定層、粘膜下層、固有筋層、漿膜下層、漿膜）ごとに、組織特徴を反映した特徴量の判断基準を作成することもできる。
【００７１】
ステップＳ１３１２では、深達度判別を行う。ステップＳ１３１１で病変領域と判断された領域が、ステップＳ１３０８で指定した基準組織（粘膜固定層、粘膜下層、固有筋層、漿膜下層、漿膜）のどの層まで浸潤しているかで深達度（浸潤度合い）を判別する。
【００７２】
（３）ステップＳ８０３：グロス画像とスライド画像の位置合わせ
図１４（ａ）及び図１４（ｂ）を用いて、マクロ病変領域とミクロ病変領域について説明する。
【００７３】
図１４（ａ）は、スライド画像のミクロ病変領域と分割セルの対応付けを示す模式図であり、図１２（ｄ）と同一である。図１４（ｂ）は、グロス画像のマクロ病変領域と分割セルの対応付けを示す模式図であり、図９（ｃ）に示すマクロ病変領域９０１、メッシュ分割範囲９０２と同一である。ここで、メッシュ分割範囲１２０４とメッシュ分割範囲９０２は同一範囲を示すものとする。スライド１１０１ａからスライド１１０１ｅまではミクロ病変領域１２０５（ｂ〜ｅ）とマクロ病変領域９０１（ｂ〜ｅ）は一致している。一方、スライド１１０１ｆでは、ミクロ病変領域１２０５ｆとマクロ病変領域９０１ｆは一致していない。これは、グロスもしくはグロス画像から抽出した病変範囲と、スライド画像から抽出した病変範囲が異なることを示す。この領域差分は、グロスもしくはグロス画像では認識できなかったが、スライド画像を用いた病理診断により新たに認識された病変範囲と考えることができる。
【００７４】
図１５（ａ）〜図１５（ｃ）は、グロス画像とスライド画像の位置合わせを説明する模式図である。
図１５（ａ）は、グロス画像であり、図９（ａ）と同一である。グロス画像とスライド画像の位置合わせを簡単に説明するために、メッシュ分割範囲も図示した。
【００７５】
図１５（ｂ）は、グロス画像にスライド画像をマッピングした模式図である。図１２（ａ）〜図１２（ｃ）で説明した複数のスライド画像の位置合わせを実施後にグロス画像にスライド画像をマッピングする。ここで、スライド画像のＸ方向はメッシュ分割範囲１２
０４に限られていることに注意する。スライド画像のＸ方向マッピング位置は、メッシュ分割範囲（９０２、１２０４）に合わせる。スライド画像のＹ方向マッピング位置は、切り出し領域５０１の薄切面６０１に合わせる（図５、図６参照）。図１５（ｂ）において、グロス画像とスライド画像の位置（ＸＹ位置だけでなくＺ位置も含めたＸＹＺ位置）が明確に対応することになる。
【００７６】
図１５（ｃ）は、グロス画像に病変領域・深達度をマッピングした模式図である。病変領域としては、グロス病理情報に含まれるマクロ病変領域９０１と、スライド病理情報に含まれるミクロ病変領域１２０５があり、それぞれの情報を別々に病変領域としてマッピング（位置データのリンク）する。
【００７７】
図１６は、グロス画像とスライド画像の位置合わせを説明するフローチャートである。
ステップＳ１６０１では、スライド画像データのグロス画像データへのマッピングを行う。グロス画像とスライド画像の間の対応付けや位置合わせに必要な情報は、グロス病理情報及びスライド病理情報から取得する。本ステップは、図１５（ｂ）に対応する。
【００７８】
ステップＳ１６０２では、病変領域・深達度のグロス画像データへのマッピングを行う。グロス画像の病変領域の情報ならびにスライド画像の病変領域及び深達度の情報は、グロス病理情報及びスライド病理情報から取得する。病変領域としては、マクロ病変領域９０１、ミクロ病変領域１２０５があり、図１４（ａ）、（ｂ）に示した通り、それぞれの病変領域が一致しない場合がある。そのため、マクロ病変領域９０１、ミクロ病変領域１２０５それぞれの情報を病変領域としてマッピング（位置データのリンク）する。本ステップは、図１５（ｃ）に対応する。
【００７９】
（４）ステップＳ８０４：病理情報画像データの生成・表示
図１７（ａ）〜図１７（ｃ）は、病理情報画像データの生成・表示を説明する模式図である。図１５（ａ）〜図１５（ｃ）、図１６では、グロス画像への病変領域・深達度のマッピング（位置データのリンク）について説明した。ここでは、視覚的・直観的に病変領域・深達度を把握するための画像データの生成と表示方法について説明する。
【００８０】
図１７（ａ）は、病変領域１７０１を多角形で囲み、深達度表示領域１７０２において色で深達度を表現する表示方法である。病変領域としては、マクロ病変領域９０１、ミクロ病変領域１２０５があり、それらの論理和を多角形で囲んで表示する。深達度は、Ｔ０からＴ３までを、例えば、赤、黄、緑、青などの色分けで表現する。
【００８１】
図１７（ｂ）は、病変領域１７０１を楕円で囲み、深達度を補間して表現する表示方法である。スライド病理情報として得られる深達度の情報は、ＸＹ断面では離散的な情報である（図１５（ｃ）参照）。これらの離散的な深達度情報を、最近傍補間、バイリニア補間、バイキュービック補間などの補間処理を用いて連続的な情報に変換し、深達度を連続的に変化する疑似色（例えば赤から青）で表現する。このように病理情報画像内で深達度が連続的に変化するように補間表示することで、病変の深さ方向の分布を把握しやすくすることができる。
【００８２】
図１７（ｃ）は、病変領域１７０１を楕円で囲み、深達度を補間して等高線として表現する表示方法である。深達度の補間は図１７（ｂ）の処理と同様であり、深達度が同じ領域を等高線として表現する。深達度は、連続的な疑似色表現と等高線表現を組み合わせても良い。
【００８３】
ここで説明した表示方法以外にも、病変領域としてマクロ病変領域９０１、ミクロ病変領域１２０５の表示を切り替え可能とする、ミクロ病変領域１２０５を優先的に表示する
、などがある。また、深達度の表現方法としては、疑似色表現、等高線表現以外にも、グラデーション（濃淡）表現などがある。
【００８４】
表示形態としては、２Ｄデジタルデータ、３Ｄデジタルデータ、ＣＧデータなどが挙げられる。２Ｄデジタルデータとは、２次元のグロス撮像画像に対し、病変領域１７０１、深達度表示領域１７０２を合成表示する形態である。３Ｄデジタルデータとは、３次元のグロス撮像画像に対し、病変領域１７０１、深達度表示領域１７０２を合成表示する形態である。ＣＧデータとは、グロス撮像画像をＣＧで代用し、ＣＧに対し病変領域１７０１、深達度表示領域１７０２を合成表示する形態である。２次元のグロスＣＧをもちいてもよいし、３次元のグロスＣＧをもちいてもよい。
【００８５】
図１８は、病理情報画像データの生成・表示を説明するフローチャートである。
【００８６】
ステップＳ１８０１では、病理情報、及び、位置合わせ情報を取得する。病理情報とは、グロス病理情報とスライド病理情報である。グロス病理情報とは、グロス画像から抽出した病変４０８の領域、メッシュ分割した切り出し領域、マクロ病変領域９０１と、それらの位置関係を含む情報である。スライド病理情報とは、病変１１０３の領域、メッシュ分割したスライド画像、ミクロ病変領域１２０５、薄切標本１１０２の深達度を含む情報である。位置合わせ情報とは、マクロ病変領域とミクロ病変領域の位置関係を対応付ける情報である。
【００８７】
ステップＳ１８０２では、病変領域の表示方法を選択する。病変領域の表示方法としては、辺縁の矩形表示・楕円表示などがある。ステップＳ１８０３では、深達度の表示方法を選択する。深達度の表示方法としては、連続表示・離散表示、色表示、等高線表示などがある。例えば、表示方法設定ＧＵＩをモニター画面に表示し、マウスなどの操作デバイスを用いてユーザに所望の表示方法を選択させればよい。
【００８８】
ステップＳ１８０４では、病理情報画像データの生成を行う。グロス病理情報、スライド病理情報、位置合わせ情報、病変領域の表示方法、深達度の表示方法を用いて、表示するための病理情報画像データを生成する。
ステップＳ１８０５では、Ｓ１８０４で生成した病理情報画像データの表示を行う。
【００８９】
（本実施例の画像処理方法の利点）
本実施例の画像処理方法によれば、病理情報と臨床情報の対応を直観的に把握できる画像処理方法を提供することができる。病理診断においては、離散的に採取されたスライドから抽出したミクロな病理情報と、グロスから抽出したマクロな病理情報とを統合して、グロス全体の病変領域・深達度を把握する。病変領域・深達度は、病理医、臨床医だけでなく患者にとっても、病期の判断や治療方針の決定に関わる重要な情報である。ミクロな病理情報とマクロな病理情報の関連付けを直観的に把握できる形式で視覚化することで、ユーザ（病理医）から臨床医・患者に、病変領域・深達度を含む病理所見情報をより正確、且つ、より短時間に伝えることができる。それにより、情報伝達齟齬の軽減と情報伝達の効率化を実現できる。
【００９０】
（画像処理システムの構成例）
次に、上述した画像処理方法を実行する画像処理システムの一構成例を図１９および図２０を用いて説明する。
【００９１】
図１９は、画像処理システムの装置構成の全体図である。画像処理システムは、撮像装置（デジタル顕微鏡装置、またはバーチャル・スライド・スキャナ）１９０１、画像処理装置１９０２、表示装置（モニター）１９０３、データサーバ１９０４から構成される。
画像処理システムは、被写体となるグロスやスライドの２次元画像を取得し表示する機能を有するシステムである。撮像装置１９０１と画像処理装置１９０２との間は、専用もしくは汎用Ｉ／Ｆのケーブル１９０５で接続され、画像処理装置１９０２と表示装置１９０３の間は、汎用のＩ／Ｆのケーブル１９０６で接続される。データサーバ１９０４と画像処理装置１９０２との間は、ネットワーク１９０７を介して、汎用Ｉ／ＦのＬＡＮケーブル１９０８で接続される。
【００９２】
撮像装置１９０１は、被写体を高倍率で撮像し、高精細のデジタル画像を出力する機能を持つバーチャル・スライド・スキャナである。２次元画像の取得にはＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）等の固体撮像素子が用いられる。なお、バーチャル・スライド・スキャナの代わりに、通常の光学顕微鏡の接眼部にデジタルカメラを取り付けたデジタル顕微鏡装置により、撮像装置１９０１を構成することもできる。
【００９３】
画像処理装置１９０２は、撮像装置１９０１から取得した複数枚の原画像データから、表示装置１９０３に表示するデータを、原画像データをもとにユーザからの要求に応じて生成する機能等を持つ装置である。画像処理装置１９０２は、ＣＰＵ（中央演算処理装置）、メモリ（ＲＡＭ）、記憶装置、操作デバイスなどのハードウェア資源を備えた、汎用のコンピュータやワークステーションで構成される。記憶装置は、ハードディスクドライブなどの大容量情報記憶装置であり、上述した画像処理方法を実現するためのプログラムやデータ、ＯＳ（オペレーティングシステム）などが格納されている。上述した各機能は、ＣＰＵが記憶装置からメモリに必要なプログラムおよびデータをロードし、当該プログラムを実行することにより実現される。操作デバイスは、キーボードやマウスなどにより構成され、ユーザが各種の指示を入力するために利用される。
【００９４】
表示装置１９０３は、グロス画像やスライド画像や、画像処理装置１９０２が演算処理した結果であるグロス病理情報、スライド病理情報、病理情報画像（図１７（ａ）〜図１７（ｃ））などを表示するモニターである。表示装置１９０３は液晶ディスプレイ等により構成される。
データサーバ１９０４は、グロス画像、スライド画像、グロス病理情報、スライド病理情報、病理情報画像などのデータが格納されている大容量の記憶装置である。
【００９５】
図１９の例では、撮像装置１９０１、画像処理装置１９０２、表示装置１９０３とデータサーバ１９０４の４つの装置により画像処理システムが構成されているが、本発明はこの構成に限定されるものではない。例えば、表示装置と一体化した画像処理装置を用いてもよいし、画像処理装置の機能を撮像装置に組み込んでもよい。また撮像装置、画像処理装置、表示装置、データサーバの機能を１つの装置で実現することもできる。また逆に、画像処理装置等の機能を分割して複数の装置によって実現しても良い。
【００９６】
図２０は、画像処理装置１９０２の機能構成を示すブロック図である。
図２０において符号２２０１から２２０８で示される機能は、画像処理装置１９０２のＣＰＵが記憶装置からプログラム及び必要なデータをメモリにロードし、当該プログラムを実行することで実現される機能である。ただし、一部または全部の機能をＧＰＵなどの専用の処理ユニットで実現したり、ＡＳＩＣなどの専用回路で実現してもよい。以下、各機能２２０１〜２２０８について説明する。
【００９７】
スライド画像データ取得部２２０１は、記憶装置からスライド画像データを取得する。スライド画像データがデータサーバ１９０４に格納されている場合には、データサーバ１９０４からスライド画像データを取得する。
スライド画像病理情報抽出部２２０２は、スライド画像データからスライド病理情報を抽出し、スライド画像データ及びスライド病理情報をメモリに格納する（図１１、図１２、図１３の説明参照）。
【００９８】
グロス画像データ取得部２２０３は、データサーバ１９０４からグロス画像データを取得する。
グロス画像病理情報抽出部２２０４は、グロス画像データからグロス病理情報を抽出し、グロス画像データ及びグロス病理情報をメモリに格納する（図９、図１０の説明参照）。
【００９９】
ユーザ入力情報取得部２２０５は、ユーザがマウスなどの操作デバイスを用いて入力した各種指示内容を取得する。例えば、グロス画像での病変領域の抽出（Ｓ１００２）、切り出し領域の指定（Ｓ１００３、Ｓ１００６）、切り出し寸法の指定（Ｓ１００５）、スライド画像での病変の指定（Ｓ１３０２）、スライド画像での基準組織の指定（Ｓ１３０８）などが入力される。
【０１００】
位置合わせ部２２０６は、メモリからグロス画像データ、及び、スライド画像データを読み出して、グロス画像とスライド画像の位置合わせを行う（図１４、図１５、図１６の説明参照）。
【０１０１】
表示画像データ生成部２２０７は、ユーザ入力情報取得部２２０５に入力された病変領域の表示方法（Ｓ１８０２）や深達度の表示方法（Ｓ１８０３）に従って、病理情報画像データの生成を行う（図１７、図１８の説明参照）。
表示画像データ転送部２２０８は、表示画像データ生成部２２０７で生成された画像データをグラフィックスボードに転送する。ＤＭＡ機能により、メモリとグラフィックスボード間の高速画像データ転送を実行する。グラフィックスボードに転送された画像データは、表示装置１９０３に表示される。
【０１０２】
本実施例の画像処理システムによれば、病理情報と臨床情報の対応を直観的に把握できる画像処理方法を提供することができる。病理診断においては、離散的に採取されたスライドから抽出したミクロな病理情報と、グロスから抽出したマクロな病理情報とを統合して、グロス全体の病変領域・深達度を把握する。病変領域・深達度は、病理医、臨床医だけでなく患者にとっても、病期の判断や治療方針の決定に関わる重要な情報である。ミクロな病理情報とマクロな病理情報の関連付けを直観的に把握できる形式で視覚化することで、ユーザ（病理医）から臨床医・患者に、病変領域・深達度を含む病理所見情報をより正確、且つ、より短時間に伝えることができる。それにより、情報伝達齟齬の軽減と情報伝達の効率化を実現できる。
【０１０３】
上記実施例は、本発明の好適な一具体例を示したものであり、本発明の範囲を限定する趣旨のものではない。本発明は明細書及び特許請求の範囲に記載された技術思想の範囲内においてさまざまな構成を採り得るものである。例えば、上記実施例では、病変領域（病変の面方向（ＸＹ方向）の広がり）と深達度（病変の深さ方向（Ｚ方向）の浸潤）を病理情報として提示したが、スライドやグロスから抽出される病変に関する情報であればどのような情報を病理情報として提示してもよい。また、病変領域のみ、あるいは、深達度のみを病理情報として提示してもよい。また、上記実施例では、胃癌の病理診断を例に挙げたが、胃以外の臓器や癌以外の病気の場合でも、同様の処理で病理情報の取得ならびに病理情報画像データの生成が可能である。
【符号の説明】
【０１０４】
１７０１：病変領域、１７０２：深達度表示領域、１９０２：画像処理装置、２２０１：
スライド画像データ取得部、２２０２：スライド画像病理情報抽出部、２２０３：グロス画像データ取得部、２２０４：グロス画像病理情報抽出部、２２０７：表示画像データ生成部
【図１】
2015087167.tif 000003
【図２】
2015087167.tif 000004
【図３】
2015087167.tif 000005
【図４】
2015087167.tif 000006
【図５】
2015087167.tif 000007
【図６】
2015087167.tif 000008
【図７】
2015087167.tif 000009
【図８】
2015087167.tif 000010
【図９】
2015087167.tif 000011
【図１０】
2015087167.tif 000012
【図１１】
2015087167.tif 000013
【図１２】
2015087167.tif 000014
【図１３】
2015087167.tif 000015
【図１４】
2015087167.tif 000016
【図１５】
2015087167.tif 000017
【図１６】
2015087167.tif 000018
【図１７】
2015087167.tif 000019
【図１８】
2015087167.tif 000020
【図１９】
2015087167.tif 000021
【図２０】
2015087167.tif 000022